(57)【要約】【課題】警察等が所有する適正な検査装置を用いた検査の信頼性を確保しつつ、その検査結果の信頼性を各遊技店で簡易に判断できるような、遊技制御装置と検査装置との適正通信判定システムを提供する。【解決手段】遊技機に搭載される遊技制御装置１のワンチップＣＰＵ３と検査装置１０との間で行われた通信を監視装置５でモニタし、この監視装置５の判定手段５ｃは、予め記憶している適正な通信内容に基づいて、ワンチップＣＰＵ３と検査装置１０との間で行われた通信内容が適正か否かを判定し、その判定結果を不揮発メモリ５ｄに保存すると共に、判定結果に応じて発光源５ｅの発光制御を行い、また、電源遮断後に再起動した際には、不揮発メモリ５ｄに記憶されている判定結果に基づいて、判定手段５ｃが発光源５ｅの点灯制御を行い、前回の判定結果を遊技制御装置１の外部から確認できるようにした。【選択図】図２
2005130978.tif 000002
【特許請求の範囲】
【請求項１】
遊技機の制御用プログラム等が格納されたＣＰＵを備える遊技制御装置と、該遊技制御装置と所定の検査端子を介して検査通信を行う検査装置と、上記遊技制御装置のＣＰＵと検査端子との間で授受される信号を受動的にモニタする監視装置と、からなり、
上記監視装置は、
ＣＰＵと検査装置との間で行われる適正な通信情報を記憶する不揮発性の適正通信情報記憶手段と、
上記検査端子からＣＰＵへの信号および／またはＣＰＵから検査端子への信号が、上記適正通信情報記憶手段に記憶された適正な通信情報に合致するか否かに基づいて、適正な通信であるか否かを判定し、適正な通信であると判定した場合には適正通信判定結果を不揮発性の判定結果記憶手段に記憶させ、不適正な通信であると判定した場合には適正通信判定結果を消去する適正通信判定手段と、
上記判定結果記憶手段に適正通信判定結果が記憶されていることに基づいて、発光源を点灯させる判定結果表示手段と、
を備えることを特徴とする遊技制御装置と検査装置との適正通信判定システム。
【請求項２】
上記監視装置の判定結果記憶手段は、適正通信判定手段が適正な通信と判定した通信情報を併せて記憶し、
上記判定結果表示手段は、適正な通信と判定された通信情報に応じて定めた色の発光源を点灯させるようにしたことを特徴とする請求項１に記載の遊技制御装置と検査装置との適正通信判定システム。
【請求項３】
上記監視装置の判定結果記憶手段は、適正な通信情報としてＣＰＵから検査装置へ送信されたメーカコードや機種コードを通信情報として記憶し、
上記判定結果表示手段は、メーカコードや機種コードに応じて予め定めた色の発光源を点灯させるようにしたことを特徴とする請求項２に記載の遊技制御装置と検査装置との適正通信判定システム。
【請求項４】
上記監視装置は、発光源を一体に形成したチップ構造であることを特徴とする請求項１〜請求項３の何れか１項に記載の遊技制御装置と検査装置との適正通信判定システム。
【請求項５】
上記監視装置は、遊技制御装置と連動して動作するものとし、
適正通信判定手段による適正通信判定結果が判定結果記憶手段に記憶されてから、遊技制御装置が作動している経過時間を不揮発性記憶手段に累積記憶することで、適正通信判定後に遊技機が稼働した延べ時間を計測する経過時間計測手段と、
上記経過時間計測手段が予め定めた稼働上限時間を計時することに基づいて、判定結果記憶手段から適正通信判定結果を消去する判定結果有効期間管理手段と、
を備えるものとしたことを特徴とする請求項１〜請求項４の何れか１項に記載の遊技制御装置と検査装置との適正通信判定システム。
【請求項６】
上記監視装置には、内部で保持する情報を赤外線信号で送信可能な赤外線通信手段を設け、
上記監視装置から送信される赤外線信号を受信し、受信情報に応じた情報報知が可能な端末装置を含むことを特徴とする請求項１〜請求項５の何れか１項に記載の遊技制御装置と検査装置との適正通信判定システム。
【請求項７】
上記監視装置は、判定結果表示手段が点灯させている発光源の色情報を符号化して赤外線信号で送信するものとし、
上記端末装置は、監視装置からの赤外線信号として受信した発光源の色情報に基づき、対応する色の発光源を点灯させるようにしたことを特徴とする請求項６に記載の遊技制御装置と検査装置との適正通信判定システム。
【請求項８】
上記監視装置は、判定結果記憶手段に適正な通信情報としてＣＰＵのＩＤ番号が含まれている場合に、これを赤外線信号で外部へ送信するものとし、
上記端末装置は、監視装置からの赤外線信号として受信したＣＰＵのＩＤ番号を可視表示するようにしたことを特徴とする請求項６又は請求項７に記載の遊技制御装置と検査装置との適正通信判定システム。
【請求項９】
上記監視装置は、外部へ送信するＣＰＵのＩＤ番号を暗号化情報として送信するものとし、
上記端末装置は、監視装置からの赤外線信号として受信したＣＰＵのＩＤ番号を暗号化情報のまま可視表示するようにしたことを特徴とする請求項８に記載の遊技制御装置と検査装置との適正通信判定システム。
【請求項１０】
上記監視装置の赤外線通信手段は、その内容を暗号化して送信するものとし、
上記端末装置には、暗号化された内容を復号する復号化手段を設けたことを特徴とする請求項６〜請求項９の何れか１項に記載の遊技制御装置と監視装置との適正通信判定システム。
【発明の詳細な説明】
【技術分野】
【０００１】
本発明は、遊技機の制御用プログラム等が格納されたＣＰＵを備える遊技制御装置と、該遊技制御装置と所定の検査端子を介して検査通信を行う検査装置との間で行われる通信が適正であるか否かを判定する遊技制御装置と検査装置との適正通信判定システムに関するもので、遊技制御装置のＣＰＵが改竄されたり、不適正な検査装置を用いてＣＰＵの情報が読み取られることを防止する技術に関する。
【背景技術】
【０００２】
パチンコ機やスロットマシンなどの遊技機は、通常、遊技制御用プログラム等が格納されたＲＯＭを内蔵するワンチップＣＰＵを主要部品とする基板をケースに収めた制御装置により制御されている。
【０００３】
上述したワンチップＣＰＵのＲＯＭに収められるプログラムは、大当りの確率等遊技機の重要な特性に直接関与しているので、試験機関による試験に適合した遊技機のプログラムが変更されないようにすることが肝要である。幸い、近年はこの部分に種々の工夫がこらされており、ＲＯＭ内容の改竄はほとんど行われないのが実状である。
【０００４】
しかしながら、このワンチップＣＰＵ自体を偽造して正規のＣＰＵと交換する不正が発覚し、問題となっている。この問題に対処するため、このワンチップＣＰＵの偽造を防止する、或いは、偽造されたことを容易に発見できるような技術として、各々個別のＩＤをワンチップＣＰＵに設定すると共に、このＩＤを読み出す特別な装置（例えば、ＩＤ読取装置などの検査装置）を用いることで、偽造されたワンチップＣＰＵの発見を容易にし、且つワンチップＣＰＵの偽造を困難にするものが提案されている（例えば、特許文献１参照）。
【０００５】
【特許文献１】特開２０００−２６２７１０号公報
【０００６】
上述した特許文献１に記載の発明によれば、検査の対象となるＣＰＵを基板から外し、特別な装置により警察本部にある謄本ＲＯＭと比較していた従来の検査方法が大幅に省力化され、不正防止に貢献できるものの、全国の遊技店の遊技機を常に警察官が監視することは人員的に現実的でなく、遊技店での検査は間隔をおいたものにならざるを得ない。
【０００７】
そのため、遊技機に不正を施す者は、こうした間隔をついて遊技機の不正改竄を行って短期間で多くの遊技利益を獲得するので、次の検査において不正が発覚するまで短期間であっても、遊技店に多額の損害を与えてしまう場合がある。
【０００８】
したがって、遊技店としては、自衛のために、前述のＩＤ読取装置により自らワンチップＣＰＵの検査を常に行うことが理想であるが、一方で、悪意のある遊技店がＩＤ読取装置を手にした場合、偽造ＣＰＵ作成のためにワンチップＣＰＵを検査する信号を不正に解析する可能性があり、偽造ＣＰＵの作製を助長する危険性もある。しかし、善意の遊技店と悪意の遊技店を区別することは困難である。
【０００９】
上記のような事情から、万が一の場合を考慮して、遊技店にはＩＤ読取装置を取得させないような運用がなされており、ＩＤ読取装置を用いた検査は警察官等の手に委ねられているのである。
【００１０】
しかし、ＩＤ読取装置等の検査装置の適正品を用いずに、ワンチップＣＰＵのＩＤ等を読み出す手法が使われた場合、これを防止する手立ては無い。それどころか、不正にＣＰＵのＩＤ番号を読み取られたことすら把握できないのである。
【発明の開示】
【発明が解決しようとする課題】
【００１１】
そこで、本発明は、警察等が所有する適正な検査装置を用いた検査の信頼性を確保しつつ、その検査結果の信頼性を各遊技店で簡易に判断できるような、遊技制御装置と検査装置との適正通信判定システムを提供する。
【課題を解決するための手段】
【００１２】
上記の課題を解決するために、請求項１に係る発明は、
遊技機の制御用プログラム等が格納されたＣＰＵ（ワンチップＣＰＵ３）を備える遊技制御装置（１）と、該遊技制御装置と所定の検査端子（検査コネクタ４）を介して検査通信を行う検査装置（１０）と、上記遊技制御装置のＣＰＵと検査端子との間で授受される信号を受動的にモニタする監視装置（５）と、からなり、
上記監視装置は、
ＣＰＵと検査装置との間で行われる適正な通信情報を記憶する不揮発性の適正通信情報記憶手段（例えば、判定手段５ｃのＲＯＭ）と、
上記検査端子からＣＰＵへの信号および／またはＣＰＵから検査端子への信号が、上記適正通信情報記憶手段に記憶された適正な通信情報に合致するか否かに基づいて、適正な通信であるか否かを判定し、適正な通信であると判定した場合には適正通信判定結果を不揮発性の判定結果記憶手段（不揮発性メモリ５ｄ）に記憶させ、不適正な通信であると判定した場合には適正通信判定結果を消去する適正通信判定手段（判定手段５）と、
上記判定結果記憶手段に適正通信判定結果が記憶されていることに基づいて、発光源（５ｅ）を点灯させる判定結果表示手段（判定手段５）と、
を備えることを特徴とする。
【００１３】
また、請求項２に係る発明は、上記請求項１に記載の遊技制御装置と検査装置との適正通信判定システムにおいて、
上記監視装置の判定結果記憶手段は、適正通信判定手段が適正な通信と判定した通信情報（例えば、ＣＰＵのＩＤ番号、メーカコード、機種コード等）を併せて記憶し、
上記判定結果表示手段は、適正な通信と判定された通信情報に応じて定めた色の発光源を点灯させるようにしたことを特徴とする。
【００１４】
また、請求項３に係る発明は、上記請求項２に記載の遊技制御装置と検査装置との適正通信判定システムにおいて、
上記監視装置の判定結果記憶手段は、適正な通信情報としてＣＰＵから検査装置へ送信されたメーカコードや機種コードを通信情報として記憶し、
上記判定結果表示手段は、メーカコードや機種コードに応じて予め定めた色の発光源を点灯させるようにしたことを特徴とする。
【００１５】
また、請求項４に係る発明は、上記請求項１〜請求項３の何れか１項に記載の遊技制御装置と検査装置との適正通信判定システムにおいて、
上記監視装置（５１，５２）は、発光源を一体に形成したチップ構造であることを特徴とする。
【００１６】
また、請求項５に係る発明は、上記請求項１〜請求項４の何れか１項に記載の遊技制御装置と検査装置との適正通信判定システムにおいて、
上記監視装置は、遊技制御装置と連動して動作するものとし、
適正通信判定手段による適正通信判定結果が判定結果記憶手段に記憶されてから、遊技制御装置が作動している経過時間を不揮発性記憶手段（不揮発メモリ５ｄ）に累積記憶することで、適正通信判定後に遊技機が稼働した延べ時間を計測する経過時間計測手段（判定手段５ｃ）と、
上記経過時間計測手段が予め定めた稼働上限時間を計時することに基づいて、判定結果記憶手段から適正通信判定結果を消去する判定結果有効期間管理手段（判定手段５ｃ）と、
を備えるものとしたことを特徴とする。
【００１７】
また、請求項６に係る発明は、上記請求項１〜請求項５の何れか１項に記載の遊技制御装置と検査装置との適正通信判定システムにおいて、
上記監視装置（５′）には、内部で保持する情報を赤外線信号で送信可能な赤外線通信手段（例えば、判定手段５ｃ′および赤外線ＬＥＤ５ｆ）を設け、
上記監視装置から送信される赤外線信号を受信し、受信情報に応じた情報報知が可能な端末装置（２０）を含むことを特徴とする。
【００１８】
また、請求項７に係る発明は、上記請求項６に記載の遊技制御装置と検査装置との適正通信判定システムにおいて、
上記監視装置は、判定結果表示手段が点灯させている発光源の色情報を符号化して赤外線信号で送信するものとし、
上記端末装置は、監視装置からの赤外線信号として受信した発光源の色情報に基づき、対応する色の発光源（２３）を点灯させるようにしたことを特徴とする。
【００１９】
また、請求項８に係る発明は、上記請求項６又は請求項７に記載の遊技制御装置と検査装置との適正通信判定システムにおいて、
上記監視装置は、判定結果記憶手段に適正な通信情報としてＣＰＵのＩＤ番号が含まれている場合に、これを赤外線信号で外部へ送信するものとし、
上記端末装置は、監視装置からの赤外線信号として受信したＣＰＵのＩＤ番号を可視表示（表示器２４）するようにしたことを特徴とする。
【００２０】
また、請求項９に係る発明は、上記請求項８に記載の遊技制御装置と検査装置との適正通信判定システムにおいて、
上記監視装置は、外部へ送信するＣＰＵのＩＤ番号を暗号化情報として送信するものとし、
上記端末装置は、監視装置からの赤外線信号として受信したＣＰＵのＩＤ番号を暗号化情報のまま可視表示するようにしたことを特徴とする。
【００２１】
また、請求項１０に係る発明は、上記請求項６〜請求項９の何れか１項に記載の遊技制御装置と監視装置との適正通信判定システムにおいて、
上記監視装置の赤外線通信手段は、その内容を暗号化して送信するものとし、
上記端末装置には、暗号化された内容を復号する復号化手段（例えば、制御手段２２）を設けたことを特徴とする。
【発明の効果】
【００２２】
請求項１に係る遊技制御装置と検査装置との適正通信判定システムによれば、検査装置とＣＰＵとの間の通信を監視装置が監視し、正常な検査通信が行われた場合には、その結果を不揮発性の判定結果記憶手段に保持すると共に、適正判定結果が記憶されていることに基づいて発光源を発光させるので、検査装置による検査結果を発光源により確認することが可能となる。すなわち、この適正判定結果として発光源を点灯させるには検査装置と遊技制御装置との通信内容が適正であった場合に限られるので、ＣＰＵが改竄されている場合は勿論、適正な検査装置を用いずにＣＰＵとの通信を図ったような場合も、不適正な通信が行われたと判定することができる。
【００２３】
しかも、請求項１に係る遊技制御装置と検査装置との適正通信判定システムによれば、検査装置が接続されていなくても、又遊技機の電源が切られた後であっても、電源を入れて監視装置が適正に稼働する限り、判定結果を発光源の表示として報知することができる。また、判定結果の表示方法は単純な発光源の点灯制御としたので、検査装置やＣＰＵのＩＤ番号等の専門的な知識がない遊技店員等でも、適正な判定結果であったか否かを的確に判断できる。また、検査装置を操作するのは、警察官又は遊技機メーカの者に限られるので、その際に、検査信号が傍受されたりする心配はないし、監視装置自体はＣＰＵと検査信号を通信することもないので、警察官や遊技機メーカの者が立ち会わない場面で検査信号が遊技制御装置のＣＰＵへ発せられることがなく、検査信号が悪意のある第三者に測定される危険性はない。
【００２４】
また、請求項２に係る遊技制御装置と検査装置との適正通信判定システムによれば、適正な通信と判定された通信情報に応じて定めた色の発光源を点灯させるので、単に判定結果を表示するだけではなく、通信情報に関する表示を併せて行うことができる。
【００２５】
また、請求項３に係る遊技制御装置と検査装置との適正通信判定システムによれば、監視装置の発光源の発光色によって、当該ＣＰＵに記憶されたメーカコードや機種コードを知ることができる。通常隣接して設置される同一機種の遊技機では、各監視装置の発光源が同じ色で発光することになるので、不正の発見が容易になる。すなわち、隣に設置されている遊技機の監視装置の発光色と異なる色で発光しているような場合、何らかの異常があると推測でき、技術的知識を必要としないで異常を容易に察知できる。
【００２６】
また、請求項４に係る遊技制御装置と検査装置との適正通信判定システムによれば、発光源を一体に形成したチップ構造の監視装置としたので、遊技機を不正に改竄する者が発光源のみを交換して、判定結果の表示を偽るような不正が困難になり、システム全体の信頼性を高めることができる。
【００２７】
また、請求項５に係る遊技制御装置と検査装置との適正通信判定システムによれば、検査装置により最後に検査したときから一定の時間が経過すると、不揮発メモリに格納された判定結果がクリアされ、適正通信判定結果での表示が行われなくなる。遊技機が遊技店に設置された後、頻繁に検査装置により検査する機会があれば問題ないが、検査の間隔が空く場合、もし不正改竄があっても、それを察知するまでに時間がかかることになるので、遊技店の被害が大きくなる。そこで、最後に検査された後、一定期間（判定結果有効期間）経過後に、その判定結果を消去して発光源による点灯表示も止めるので、次の検査を促す上で有効である。しかも、仮に不正改竄が行われたとしても、被害を小さくすることに寄与できる。また、そのように時間切れとなった遊技機については、次に検査するまでの期間は特に念入りに目視検査をするよう遊技店は自衛策をとることができる。
【００２８】
また、請求項６に係る遊技制御装置と検査装置との適正通信判定システムによれば、監視装置が内部で保持する情報を赤外線信号で端末装置へ送信すると、端末装置では、受信情報に応じた情報報知を行うので、監視装置の判定結果を手元の端末装置で確認することができる。
【００２９】
また、請求項７に係る遊技制御装置と検査装置との適正通信判定システムによれば、判定結果を表示する発光源の色情報を符号化して、赤外線通信により送信し、これを受信した端末装置ではその色情報に応じた色で発光源を点灯表示させるので、監視装置自体の改竄を容易に発見することができる。例えば、遊技機を不正に改竄する者が、監視装置により不正改竄が早期に発覚することを避けるために、監視装置の改竄をも試み、監視装置が判定結果を表示するための発光表示があたかも適正であるかのように、外観を似せて形成した発光源に偽りの表示色で発光表示を行わせたとしても、符号化された発光源の色情報を受けた端末装置で行われる発光表示の表示色と異なることから、監視装置に対する改竄の可能性を容易に判断できる。よって、端末装置による赤外線信号のチェックで容易に監視装置の動作を確認することができるので、監視装置に対する不正改竄の監視を容易に行うことができる。
【００３０】
また、請求項８に係る遊技制御装置と検査装置との適正通信判定システムによれば、適正な通信情報としてＣＰＵのＩＤ番号が含まれている場合に、そのＩＤ番号を赤外線通信で端末装置へ送信し、端末装置でＣＰＵのＩＤ番号を表示させるものとしたので、警察等が操作する検査装置でしか読取ることができなかったＣＰＵのＩＤ番号を容易に確認することが可能となる。従って、遊技機の不正改竄を監視するために有効なＣＰＵのＩＤ番号を使って、遊技機に対する不正改竄等の管理を効率よく行うことができる。
【００３１】
また、請求項９に係る遊技制御装置と検査装置との適正通信判定システムによれば、監視装置がＣＰＵのＩＤ番号を暗号化情報として端末装置へ送信し、端末装置では、ＣＰＵのＩＤ番号を暗号化情報のまま可視表示するので、ＣＰＵの偽造防止の観点から、ＣＰＵのＩＤ番号そのものを遊技店が自由に読み取ることを制限しつつ、本当のＩＤ番号と１対１に対応している暗号化したＩＤ番号を用いて、遊技店が遊技機の不正改竄を監視することも可能となる。
【００３２】
また、請求項１０に係る遊技制御装置と検査装置との適正通信判定システムによれば、監視装置から送信される内容を暗号化し、適正な復号化手段を備えた端末装置でなければ、暗号化された内容を復号して表示することができないので、監視装置の情報を不適正に引き出すことが困難となり、システム全体の信頼性を一層高めることができる。
【発明を実施するための最良の形態】
【００３３】
以下、本発明に係る遊技制御装置と検査装置との適正通信判定システムの好適な実施の形態について、図面を参照して説明する。
【００３４】
図１は、この発明に係る遊技制御装置と検査装置との適正通信判定システムの一構成要素である遊技制御装置の分解斜視図である。この遊技制御装置１は、ワンチップＣＰＵ３を主要部品とする基板１ａを透明なケース２に封入する構成となっている。この透明なケース２は、ふた２ａと底２ｂの２つに分割構成され、ふた２ａと底２ｂはケースを破壊しなければ内部の基板１ａを取出すことができないような方法でしっかりと固着されている（以下、「かしめられている」と称する。）。
【００３５】
ケース２をかしめるのは、基板１ａに対する不正な改竄を防止するためであり、透明なケース２であるのは、改竄された場合にその発見を容易にするためである。
【００３６】
この基板１ａには、ケース２内部のワンチップＣＰＵ３とケース２外部の検査装置（後に詳述）を接続するための検査端子である検査コネクタ４がふた２ａの外に配置される状態で実装されており、かしめケースを破壊することなく内部に実装されているワンチップＣＰＵ３を検査できるようになっている。
【００３７】
上記遊技制御装置１の基板１ａ上には、監視装置５を実装してあり、透明なケース２を通して、監視装置５が有する発光源であるＬＥＤの色を確認できる。なお、監視装置５の諸機能については後に詳述する。
【００３８】
図２は、上述した遊技機制御装置１に検査装置１０を接続した第１実施形態に係る遊技制御装置１と検査装置１０との適正通信判定システムの概略構成を示す機能ブロック図である。
【００３９】
検査装置１０は、検査コネクタ４を介してワンチップＣＰＵ３と接続され、警察官等の操作に従い、非公開の検査信号を送受信することによりワンチップＣＰＵ３の真贋、ＩＤ番号、メーカコード、機種コード、内蔵ＲＯＭのデータ等、ワンチップＣＰＵ３に関する検査に必要なデータを取得し、ワンチップＣＰＵ３が不正なものでないことを確認することができる。
【００４０】
監視装置５は、ワンチップＣＰＵ３と検査コネクタ４との間の検査信号に接続されており、常に検査信号を監視している。ただし、検査装置１０の動作に干渉しないように、検査信号に対して常に受動的であり、何ら信号を発するものではない。
【００４１】
なお、本図の例では、検査信号として、検査装置１０からワンチップＣＰＵ３へ送信する送信信号と、検査装置１０がワンチップＣＰＵ３から受信する受信信号とから構成するものとしたが、検査コネクタ４を介して授受される信号の構成は、特に本図の例に限定されるものではない。例えば、搬送周波数を異なるものとしたり、時分割したりすることにより、１本の信号線で送受信するようにしても良いし、逆に、この２本の信号線にクロック信号や、通信状態を制御する信号線を追加して３本以上の信号線としても良い。また、この信号の伝送方式も任意に設定して良く、ベースバンド方式であっても、変調されたものであっても構わないし、シリアル通信でなくパラレル通信としても良い。
【００４２】
本実施形態で示す監視装置５は、送信信号をモニタするための送信信号受信手段５ａ、受信信号をモニタするための受信信号受信手段５ｂ、送信信号や受信信号の適否を判定するマイクロプロセッサ構成（ＣＰＵ，ＲＯＭ，ＲＡＭ）の判定手段５ｃ、動作電源が断たれても記憶内容を保持する不揮発メモリ５ｄ、多色発光のＬＥＤよりなる発光源５ｅを備える。
【００４３】
上記送信信号受信手段５ａおよび受信信号受信手段５ｂは、検査信号を判定手段５ｃへ入力するのに適した形式に変換するもので、検査信号の伝送方式により、単にベースバンド方式のシリアル信号をパラレル信号に変換するものであったり、変調された検査信号を復調しパラレル信号に変換するものであったりする。
【００４４】
上記判定手段５ｃは、検査信号の適否を判定するための情報に基づいて、上記送信信号受信手段５ａおよび受信信号受信手段５ｂから受けた検査信号の内容を判定し、その結果を不揮発メモリ５ｄに格納し、その結果に応じて発光源５ｅを制御することで、適宜な色のＬＥＤを発光させる。
【００４５】
上記不揮発メモリ５ｄは電源が入っていなくてもその内容が保持され、更に判定手段５ｃから任意に内容を変更できるものである。具体的にはＥＥＰＲＯＭ、フラッシュメモリ等から構成する。
【００４６】
発光源５ｅは、Ｒ（赤），Ｇ（緑），Ｂ（青）の各色の信号を独立に制御することで、発光色を変化させられるＬＥＤである。なお、発光源としては、これに限定されるものではなく、各色のＬＥＤを個別に設けたものでも良いし、ランプなどを用いても良い。
【００４７】
図３は、上述した監視装置５における判定手段５ｃの具体的動作を示すフローチャートである。
【００４８】
電源が投入されて遊技制御装置１が作動することに伴って、監視装置５も動作を開始し、先ず、不揮発メモリ５ｄに格納された前回の判定結果を読み出し、判定結果に対応する色をＬＥＤで表示する（ステップＳ１）。なお、前回の判定結果が正常でないものであった場合（適正な通信であると判定した適正通信判定結果が記憶されていない場合）、当然のことながらＬＥＤは点灯させない。これにより、監視装置５には、適正判定結果が保持されていないことが遊技制御装置の外部から確認できる。
【００４９】
続いて、判定手段５ｃは検査信号が入力されるのを待ち（ステップＳ２）、検査信号が入力された場合、ワンチップＣＰＵ３と検査装置１０との間の検査信号の応答についてはあらかじめ分っているので、実際の信号がそれと合致するか否かに基づいて、適正な通信か否かを判定する。例えば、検査装置１０がＣＰＵのＩＤを要求する検査信号に対し、一定の時間内にワンチップＣＰＵ３から反応がなかったり、ワンチップＣＰＵ３の応答した内容が予め定められたフォーマットを逸脱していたりする場合は異常（適正な通信ではない）と判断するのである。
【００５０】
上記ステップＳ３において、送受信信号の応答が正常であると判定した場合、その内容（通信情報）から発光源５ｅで表示するＬＥＤ色を決定する（ステップＳ４）。本実施形態の監視装置５においては、ＬＥＤがＲ・Ｇ・Ｂの３色を独立に制御できるので、色の組み合わせは７通（ＲＧＢの各色の点灯、消灯の組み合わせ総数８から全色消灯した場合を差し引いたもの）となり、その色バリエーションの範囲内において、検査の結果として得られた情報の一部を表示するのである。例えば、ワンチップＣＰＵ３のＩＤ番号のｂｉｔ０、１、２をＲＧＢに対応させることでＣＰＵのＩＤ番号が正常に読取れたこと、及びそのＩＤに対応した色を表示することになる。この場合、ｂｉｔ０、１、２全てが「０」となってしまうと全色消灯してしまい、検査異常の場合と区別が付かないことから、この場合には全色点灯するとしても良い。
【００５１】
斯くすることで、ＣＰＵのＩＤ番号に応じた色がＬＥＤに表示されることとなり、もしワンチップＣＰＵ３が不正に交換された場合、以前の色とは異なる色が表示されるために特別な専門知識がなくても異常であることが分かり、改竄防止に有効である。なお、遊技制御装置１と検査装置１０との通信が適正であったか不適正であったかだけを、発光源の点灯・消灯に対応させて表示するだけでも、前回の判定結果を知ることができるので、遊技店にとっては有用な情報となる。
【００５２】
また、判定手段５ｃの制御による発光源５ｅの点灯制御に際しては、ＣＰＵのＩＤ番号ではなく、遊技機の製造メーカを示すコード、あるいは遊技機の機種種別を表すコードをＬＥＤの表示色に対応させても良い。その場合、同じメーカ、あるいは同じ種別の遊技機であれば同じ色が表示されることとなり、通常隣合わせに設置されている同種の遊技機と同じ色であるか比較することで、容易に異常かどうかの判断をすることができる。
【００５３】
続いて、上記ステップＳ４で決定したＬＥＤの色、及び、ＣＰＵのＩＤ番号やメーカコード、機種コード等、検査信号から得られた情報を不揮発メモリ５ｄに格納する（ステップＳ５）。これは、電源遮断後も判定結果や情報を記憶保持させておき、次に電源を入れたときに、ここで行った検査の結果や情報を発光源５ｅの表示制御に用いるためである。
【００５４】
その後、判定手段５ｃは、上記ステップＳ４で決定した色でＬＥＤを点灯させ（ステップＳ６）、再び検査信号が入力されるのを待つ。
【００５５】
一方、上記ステップＳ３で、検査信号が異常であると判断した場合には、不揮発メモリ５ｄの判定結果をクリアし（ステップＳ７）、ＬＥＤを消灯する（ステップＳ８）。これは、検査信号に正常に応答しない偽造ＣＰＵが装着されていたり、適正な検査装置１０とは考えられない装置がワンチップＣＰＵ３と通信を行ったような場合であり、そのことを示すための処理である。なお、不揮発メモリ５ｄの判定結果をクリアするのは、電源を切り、その後電源を入れたときに、ここで行った判定結果が異常であることを表示させるためである。
【００５６】
ここで、上記判定手段５ｃが送信信号や受信信号から適正な通信か不適正な通信かを判定する具体例を説明する。なお、以下の説明では、図４（ａ）に示すとおり、検査装置１０から送信されるコマンドはＡ〜Ｃの３種類のみとし、それに対するワンチップＣＰＵ３からのレスポンスも一定のバイト数に限定されるものとする。
【００５７】
図４（ａ）に示す通り、例えば、ＣＰＵのＩＤを要求する１バイトのコマンドＡが検査装置１０から送信されると、ワンチップＣＰＵ３は３バイト分のＩＤと１バイトのチェックサムを返す。ＣＰＵが搭載された遊技機のメーカコードを要求する１バイトのコマンドＢが検査装置１０から送信されると、ワンチップＣＰＵ３は１バイトのメーカコードと１バイトのチェックサムを返す。ＣＰＵが搭載された遊技機の機種コードを要求する１バイトのコマンドＣが検査装置１０から送信されると、ワンチップＣＰＵ３は４バイト分の機種コードと１バイトのチェックサムを返す。
【００５８】
次に、上記のような検査装置１０からのコマンドと、ＣＰＵからのレスポンスによる適正な通信と不適正な通信の具体例を図５および図６に基づいて説明する。なお、ここでは、上記図４（ａ）の各コマンドとＣＰＵレスポンスの具体的数値を、図４（ｂ）に示す通りとする。
【００５９】
図５（ａ）に示す検査装置１０とワンチップＣＰＵ３との間で行われる通信では、検査装置１０からワンチップＣＰＵ３へＩＤを要求するコマンドＡとして０１ｈ（ｈは１６進表現であることを示す。以下、同様。）が送信され、これに対するレスポンスとして、ワンチップＣＰＵ３から検査装置１０へ０１ｈ，０２ｈ，０３ｈ（３バイト分のＩＤ）と０６ｈ（チェックサム）が送信される。これは、図４（ａ）の対応表に適合したもので、適正な通信が行われたものと判定できる。
【００６０】
図５（ｂ）に示す検査装置１０とワンチップＣＰＵ３との間で行われる通信では、検査装置１０からワンチップＣＰＵ３へメーカコードを要求するコマンドＢとして０２ｈが送信され、これに対するレスポンスとして、ワンチップＣＰＵ３から検査装置１０へ０９ｈ（１バイトのメーカコード）と０９ｈ（チェックサム）が送信される。これも、図４（ａ）の対応表に適合したもので、適正な通信が行われたものと判定できる。
【００６１】
図５（ｃ）に示す検査装置１０とワンチップＣＰＵ３との間で行われる通信では、検査装置１０からワンチップＣＰＵ３へ機種コードを要求するコマンドＢとして０３ｈが送信され、これに対するレスポンスとして、ワンチップＣＰＵ３から検査装置１０へ１０ｈ，２０ｈ，３０ｈ，４０ｈ（４バイト分の機種コード）とＡ０ｈ（チェックサム）が送信される。これも、図４（ａ）の対応表に適合したもので、適正な通信が行われたものと判定できる。
【００６２】
図６（ａ）に示す検査装置１０とワンチップＣＰＵ３との間で行われる通信では、検査装置１０からワンチップＣＰＵ３へＩＤを要求するコマンドＡとして０１ｈが送信され、これに対するレスポンスとして、ワンチップＣＰＵ３から検査装置１０へ０１ｈ，０２ｈ，０３ｈ（３バイト分のＩＤ）と０４ｈ（チェックサム）が送信される。この場合、検査装置１０からワンチップＣＰＵ３への通信は適正であるが、ワンチップＣＰＵ３からのレスポンスにおける４バイト目のチェックサムに誤りがある（本来なら、０１ｈ＋０２ｈ＋０３ｈ＝０６ｈとなる筈が、０４ｈであった）ため、ワンチップＣＰＵ３から検査装置１０への通信は不適正である。よって、検査装置１０とワンチップＣＰＵ３との間で適正な通信が行われていないと判定できる。
【００６３】
図６（ｂ）に示す検査装置１０とワンチップＣＰＵ３との間で行われる通信では、検査装置１０からワンチップＣＰＵ３へ未定義のコマンドである０５ｈが送信され、これに対するレスポンスとして、ワンチップＣＰＵ３から検査装置１０へ０１ｈ，０２ｈ，０３ｈ（３バイト分のＩＤ）と０６ｈ（チェックサム）が送信される。この場合、検査装置１０からワンチップＣＰＵ３への通信は不適正であり、ワンチップＣＰＵ３も未定義のコマンドに対してレスポンスしているため、ワンチップＣＰＵ３から検査装置１０への通信も不適正である。よって、検査装置１０とワンチップＣＰＵ３との間で適正な通信が行われていないと判定できる。なお、ワンチップＣＰＵ３は、未定義のコマンドに対してはレスポンスを返さないのが本来の適正動作であるが、その場合も、検査装置１０とワンチップＣＰＵ３との間で適正な通信が行われていないと判定できる。
【００６４】
図６（ｃ）に示す検査装置１０とワンチップＣＰＵ３との間で行われる通信では、検査装置１０からワンチップＣＰＵ３へＩＤを要求するコマンドＡとして０１ｈが送信され、これに対するレスポンスとして、ワンチップＣＰＵ３から検査装置１０へ０１ｈ，０２ｈ（２バイト分のＩＤ）が送信される。この場合、検査装置１０からワンチップＣＰＵ３への通信は適正であるが、ワンチップＣＰＵ３からのレスポンスにおける３バイト目のＩＤと４バイト目のチェックサムが不足しているため、ワンチップＣＰＵ３から検査装置１０への通信は不適正である。よって、検査装置１０とワンチップＣＰＵ３との間で適正な通信が行われていないと判定できる。
【００６５】
図６（ｄ）に示す検査装置１０とワンチップＣＰＵ３との間で行われる通信では、検査装置１０からワンチップＣＰＵ３へＩＤを要求するコマンドＡとして０１ｈが送信され、これに対するレスポンスとして、ワンチップＣＰＵ３から検査装置１０へ０１ｈ，０２ｈ，０３ｈ（３バイト分のＩＤ）と０６ｈ（チェックサム）に加えて、５バイト目の０５ｈが送信される。この場合、検査装置１０からワンチップＣＰＵ３への通信は適正であるが、ワンチップＣＰＵ３からのレスポンスが５バイトで、３バイト分のＩＤと１バイトのチェックサムよりも１バイト多いため、ワンチップＣＰＵ３から検査装置１０への通信は不適正である。よって、検査装置１０とワンチップＣＰＵ３との間で適正な通信が行われていないと判定できる。
【００６６】
なお、上記の通信例では、通信データそのものに着目して、適正と不適正との判定を行う例を示したが、これに限らず、相互の通信のタイミング、例えばレスポンスのタイムアウトを監視したり、全バイト数が通信される前に次の通信が開始されることを監視することにより、適正・不適正を判定するようにしても良い。この他、コマンド／レスポンスの受領確認を通信したり、各通信信号にＣＲＣ等の通信誤り検出／訂正符号を付加したり、通信の取決めをしている場合は、その取決めも通信異常を検出する手掛かりとして用いることができる。また、適正と不適正の判定に際して、検査装置１０からワンチップＣＰＵ１へ送信される送信信号と、検査装置１０からワンチップＣＰＵ３からの受信信号の両方が適正な場合を適正通信と判定するものとしたが、例えば、検査装置１０からワンチップＣＰＵ３から検査装置１０への信号のみ、もしくはワンチップＣＰＵ３から検査装置１０への信号のみで、通信の適否を判定するようにしても良い。
【００６７】
上述した監視装置５は、遊技制御装置１の基板１ａ上に種々の電子部品で構成されているものでも、別の基板上に形成されて基板１ａに実装されているものでも構わないが、監視装置５が有する機能の秘匿性を高めたり、基板１ａへの実装を容易にするためには、図７（ａ），（ｂ）に示すように、発光源５ｅを含めて樹脂モールドしたＩＣパッケージ化することが望ましい。例えば、図７（ａ）の監視装置５１においては、発光源５ｅから照射された光を拡散させて視認性を高める光拡散レンズ５１ａを外装適所に表出させたものである。図７（ａ）の監視装置５２においては、発光源５ｅから照射された光を拡散させて視認性を高める光拡散板５２ａを外装適所に表出させたものである。
【００６８】
また、上述した監視装置５の判定手段５ｃは、適正な通信と判定した場合には、次回の判定結果が出るまで、前回の判定結果を保持し続けるものであったが、これに限らず、判定結果の有効期間を設定し、これを過ぎると判定結果をクリアするような制御を行わせても良い。このような判定結果有効期間を管理できる判定手段５ｃの具体的動作を図９のフローチャートに基づいて説明する。
【００６９】
電源が入ると不揮発メモリに格納された前回の判定結果を読み出し、判定結果に対応する色をＬＥＤで表示する（ステップＳ１１）。前回の判定結果が正常でないものであった場合、当然のことながらＬＥＤは点灯させない。
【００７０】
続いて、経過時間のカウント値も不揮発メモリ５ｄから読み出し、カウント値をインクリメントして再び不揮発メモリ５ｄに書込む（ステップＳ１２）。このように、計測した時間は不揮発メモリ５ｄに格納するので、遊技機の電源を切っても次に電源を入れたときに続きを計測することができる。
【００７１】
次に、上記ステップＳ１２でカウントされた経過時間が、予め定めた一定時間に達したか否かを判定し（ステップＳ１３）、未だ一定時間が経過していないと判定した場合は、検査信号を受信したか否かを判定する（ステップＳ１４）。検査信号を受信していなければ、再びステップＳ１２へ戻り、経過時間のカウント動作と不揮発メモリ５ｄへの書込動作を行う。
【００７２】
一方、上記ステップＳ１４で検査信号を受信したと判定した場合には、その検査信号が正常であるか否かを判定する（ステップＳ１５）。なお、この検査信号の適否判定は、上述したものと同様の判定手法により行うもので構わない。
【００７３】
上記ステップＳ１５において、送受信信号の応答が正常であると判定した場合、その内容（通信情報）から発光源５ｅで表示するＬＥＤ色を決定し（ステップＳ１６）、検査信号から得られた情報を不揮発メモリ５ｄに格納すると共に、経過時間を初期化し（ステップＳ１７）、上記ステップＳ１６で決定した色でＬＥＤを点灯させ（ステップＳ１８）、再び経過時間のカウントを行う。
【００７４】
一方、上記ステップＳ１３で一定時間が経過したと判定された場合、および上記ステップＳ１５で検査信号が異常と判定された場合には、不揮発メモリ５ｄの判定結果と経過時間を初期化し（ステップＳ１９）、発光源５ｅの点灯制御をやめて消灯する（ステップＳ２０）。
【００７５】
斯くすれば、判定手段５ｃは、遊技制御装置１と検査装置１０との間の通信結果が所定の有効期間を越えると、判定結果をクリアして発光源５ｅを消灯させるので、遊技制御装置１と検査装置１０との通信結果が不適正な場合と同様の状態になり、早急な再検査を促す上で効果的である。
【００７６】
なお、判定結果の有効期間が経過した場合には、不適正な通信結果とは異なる態様（例えば、異なる発光色に変えたり、点滅させたりする態様）で表示するようにしても良い。また、有効期間が終了するまでの残り時間に応じて表示態様を変えることにより、通信結果の有効期間終了までの残り時間を大雑把に把握できるようにしたり、有効期間が終了してからの経過時間に応じて表示態様を変えることにより、通信結果の有効期間が終了してからの経過時間を大雑把に把握できるようにしても良い。このように、有効期間の終了期限までの残り時間、もしくは有効期間が終了してからの経過時間を、監視装置５の発光源５ｅによる発光態様により遊技店員等が把握できるようにしておけば、早急な再検査を促す上で一層効果的である。また、判定結果有効期間の管理は、遊技機の実稼働時間に限定されるものではなく、例えば、ボタン電池等を電源とするタイマ機能を管理装置に設けておき、現実の経過時間から判定結果有効期間を管理するようにしても良い。
【００７７】
上述した遊技制御装置１と検査装置１０との適正通信判定システムの実施形態では、遊技制御装置１設けた監視装置５の発光源５ｅを直接視認する構成としたが、遊技店員が携帯できる端末装置等でより簡易に管理装置５の判定結果などを取得できれば便利である。そこで、以下に、端末装置２０を付加的構成とした第２実施形態に係る遊技制御装置１と検査装置１０との適正通信判定システムを説明する。
【００７８】
図１０は、上述した遊技機制御装置１と検査装置１０と端末装置２０とからなる第２実施形態に係る遊技制御装置１と検査装置１０との適正通信判定システムの概略構成を示す機能ブロック図である。なお、図１０においては、図３に基づき詳述した第１実施形態と同様の構成に同一符号を付して説明を省略する。
【００７９】
赤外線通信機能を付加した監視装置５′は、判定手段５ｃ′が赤外線ＬＥＤ５ｆを制御して、赤外線信号として情報を送信する。この赤外線信号を端末装置２０の赤外線受光器２１で受信すると、これを制御手段２２が処理し、発光源２３（例えば、ＲＧＢの多色発光可能なＬＥＤ）の発光制御を行ったり、表示器２４にＣＰＵのＩＤ番号や機種コード等を表示したりできるものである。
【００８０】
上記構成において、例えば、監視装置５′から赤外線信号により判定結果を表示するＬＥＤの色を符号として送信する場合、監視装置５′が備える発光源５ｅの点灯にはＲ・Ｇ・Ｂの３色の成分があるので、各色のＯＮ／ＯＦＦを３ビットに符号化すれば良い。それを赤外線信号で送信する場合の波形例を図１１に示してある。ここでは、赤外線通信の開始を意味するスタートビットに続き、ＲＧＢに対応する信号が続き、通信の終了を意味するストップビットで通信が終わる。
【００８１】
監視装置５′から送信された赤外線信号を受信した端末装置２０の制御手段２２は、そこに含まれるＬＥＤの色に関する情報を解釈し、発光源２３の点灯制御により同じ色で表示する。すなわち、監視装置５′の判定手段５ｃ′が発光源５ｃを点灯制御させる発光色の情報が直に端末装置２０へ送信され、端末装置２０で確認できるのである。例えば、監視装置５′のＬＥＤ５ｅのみが不適正に改竄されて、本来の表示色ではない色で発光するようにされていた場合、遊技制御装置１を外から見ただけでは、その表示動作が不適正なものとは分からないが、端末装置２０で受けた本来の表示色と遊技制御装置１における発光色とが異なっていた場合には、そのような不正が行われた可能性を見出すことができ、適切な対処を迅速に行えるというメリットがある。
【００８２】
また、ＲＧＢの色成分をメーカコード、機種コードに基づいて決定する場合、数バイトの情報である各コードを加算する等して８ビットに対応させておき、そのうち３ビットをＲＧＢに対応させても良い。この８ビットの情報は赤外線通信により外部に送信し、これを受けた端末装置２０に表示させることにより、７色のＬＥＤ表示だけでなく、更に詳細に機種を分類することができ、一軒の遊技店内でたまたま違う機種が同じ色表示になってしまっても、この情報を表示することで更に詳細な内容表示とすることができる。
【００８３】
さらに、この赤外線信号にＣＰＵのＩＤ番号も含める場合、そのＩＤ番号をそのまま表示させることもできるし、そのＩＤ番号が暗号化されている場合、その暗号化されたままのＩＤ番号を監視装置５′から送信し、これを受けた端末装置２０の表示器２４にも暗号化されたまま表示させることもできる。なお、暗号化の方式には、ＤＥＳ、ＦＥＡＬ、ＲＣ６、Ｒｉｊｎｄａｅｌ等各種あり、これら公知既存の暗号化方式の何れを適用しても構わない。
【００８４】
ここで、暗号化とは可逆的な操作であるので、元データであるＩＤ番号と暗号化ＩＤ番号とは１対１に対応する。従って、ワンチップＣＰＵのＩＤ番号を不正監視のために利用したい遊技店では、ワンチップＣＰＵに設定されているＩＤ番号の代わりに暗号化ＩＤ番号を利用することができる。すなわち、遊技機納品時等に取得した当該遊技機におけるＣＰＵの暗号化ＩＤ番号を控えておけば、その後にＣＰＵが交換されてＩＤ番号が変わった場合、暗号化ＩＤ番号も変わるので、不正監視という目的を達成することができる。しかも、ワンチップＣＰＵに設定されている生のＩＤ番号は、端末装置２０を用いても、遊技店で知ることはできない。よって、悪意の遊技店にＣＰＵのＩＤ番号を知られて、偽造ＣＰＵを用意するための情報が漏れることを防げる。すなわち、監視装置５′から暗号化したＣＰＵのＩＤ番号を送信し、これを受けた端末装置２０が暗号化されたままのＩＤ番号を表示する構成とすれば、ＩＤ番号情報の流出を防ぎつつ、遊技店の自主的な不正監視を助けることが可能となる。また、判定結果有効期間の管理は、遊技機の実稼働時間に限定されるものではなく、例えば、ボタン電池等を電源とするタイマ機能を管理装置に設けておき、現実の経過時間から判定結果有効期間を管理するようにしても良い。
【００８５】
加えて、監視装置５′が、判定結果の有効期間が経過したことを発光源５ｅの発光態様（例えば、表示色の変更や、点灯から点滅への動作変更など）により表示する構成とした場合には、同様の表示制御情報を端末装置２０へ送信して、端末装置２０でも発光源２３の表示態様によって同様の情報を表示できるようにしても良い。また、監視装置５′が、判定結果の有効期間終了までの残り時間や有効期間終了後の経過時間を、発光源５ｅの表示態様による報知可能な構成とした場合でも、同様の情報を端末装置２０へ送信して、端末装置２０のでも発光源２３の表示態様によって同様の情報を報知できるようにしても良い。
【００８６】
なお、本実施形態で示した端末装置２０は、ＣＰＵのＩＤ番号等の文字情報を表示できる表示器２４を備え、この表示器２４を用いて時間表示を行うことも可能であるから、例えば、不揮発メモリ５ｄに保持している時間情報（判定結果の有効期間終了までの残り時間や有効期間終了後の経過時間）を監視装置５′から端末装置２０へ送信し、有効期間終了までの残り時間や有効期間終了後の経過時間を正確に把握できるようにしても良い。このように、判定結果の有効期間を把握できる情報を端末装置２０で報知させるようにすれば、再検査の計画にも役立てることができ、実用的価値が高い。
【００８７】
なお、上述した第２実施形態では、赤外線通信により端末装置２０へ情報を送信するものとしたが、監視装置５′からの情報送信は赤外線通信に限定されるものではなく、近距離無線電波通信等を用いても良い。また、通信プロトコルとして、ＩｒＤＡやブルートゥース（登録商標）等の公開規約を用いずに、監視装置５′で独自の暗号化を施して送信し、適正な復号化機能を持った端末装置でのみ受信情報を復号化できるようにしても良い。或いは、無線に限らず、電気的信号線を使った有線による通信を用いることもできる。有線通信にする場合には、監視装置５′の情報を引き出すコネクタを遊技制御装置１に装備させ、このコネクタを介して外部の端末装置２０と接続されるようにすれば良い。
【図面の簡単な説明】
【００８８】
【図１】遊技機制御装置が使用される態様である。
【図２】不正監視装置の概略構成図である。
【図３】判定手段の動作を示すフローチャートである。
【図４】検査装置からのコマンドと、適正なレスポンスの対応説明図である。
【図５】検査装置とＣＰＵとの適正な通信例を示す説明図である。
【図６】検査装置とＣＰＵとの不適正な通信例を示す説明図である。
【図７】（ａ）は、ＩＣチップ化した不正監視装置の第１構成例の外観斜視図である。（ｂ）は、ＩＣチップ化した不正監視装置の第１構成例の正面図である。
【図８】（ａ）は、ＩＣチップ化した不正監視装置の第２構成例の外観斜視図である。（ｂ）は、ＩＣチップ化した不正監視装置の第２構成例の正面図である。
【図９】最後に検査してからの経過時間を計測する判定手段の動作を示すフローチャートである。
【図１０】赤外線通信手段を追加した不正監視装置の概略構成図である。
【図１１】不正監視装置から端末への赤外線通信の例を示す波形図である。
【符号の説明】
【００８９】
１    遊技制御装置
１ａ  基板
２ａ  ふた
２ｂ  底
３    ワンチップＣＰＵ
４    検査コネクタ
５    監視装置
５ａ  送信信号受信手段
５ｂ  受信信号受信手段
５ｃ  判定手段
５ｄ  不揮発メモリ
５ｅ  発光源（多色ＬＥＤ）
５ｆ  赤外線ＬＥＤ
１０    検査装置
２０    端末装置
２１    赤外線受光器
２２    制御手段
２３    発光源（多色ＬＥＤ）
２４    表示器
５１    監視装置（ワンチップ構造の第１例）
５１ａ  光拡散レンズ
５２    監視装置（ワンチップ構造の第２例）
５２ａ  光拡散板
【図１】
2005130978.tif 000003
【図２】
2005130978.tif 000004
【図３】
2005130978.tif 000005
【図４】
2005130978.tif 000006
【図５】
2005130978.tif 000007
【図６】
2005130978.tif 000008
【図７】
2005130978.tif 000009
【図８】
2005130978.tif 000010
【図９】
2005130978.tif 000011
【図１０】
2005130978.tif 000012
【図１１】
2005130978.tif 000013